(57)【要約】【課題】開封して紙製の外袋からプラスチック製の内袋を容易に取り出すことができ、その際の紙粉発生が無く、高度な衛生管理に対応出来、しかもにおい漏れも防ぐことが出来る多層袋を提供する。【解決手段】紙製の外袋２内にガスバリアー性プラスチックの内袋３を有したものであり、この多層袋１の一端を開封側４、他端を口封側５とし、開封側４はプラスチックのカバー６にて覆い密封すると共に内袋３の開封側端部７をシールしてなり、口封側５はカバー８にて覆い密封すると共に内袋３の口封側端部９をシールし、そのシール部に切断可能な脆弱部を形成して、更に脆弱部より先端の口封側端部９を外袋２に貼着してなり、カバー６を開封した後、脆弱部を切断して内袋３の口封側端部９及び開封側端部７をシールした状態のまま、外袋２から内袋３を分離可能にすることによって、上記課題を達成出来る。【選択図】　図１
2004018081.tif 000002
【特許請求の範囲】
【請求項１】
紙製の外袋内にプラスチック製の内袋を有した多層袋であって、該多層袋の一端を開封側、他端を口封側とし、前記開封側はカバーにて覆い密封すると共に前記内袋の開封側端部をシールしてなり、前記口封側はカバーにて覆い密封すると共に前記内袋の口封側端部をシールし、そのシール部に切断可能な脆弱部を形成して、更に脆弱部より先端の口封側端部を前記外袋に貼着してなり、前記開封側のカバーを開封した後、前記脆弱部を切断して前記内袋の口封側端部及び開封側端部をシールした状態のまま、前記外袋内から前記内袋を分離可能にしたことを特徴とする多層袋。
【請求項２】
前記開封側のカバーはカットテープ付のプラスチック製のオーバーテープである請求項１記載の多層袋。
【請求項３】
前記口封側のカバーはプラスチック製のオーバーテープである請求項１又は２記載の多層袋。
【請求項４】
前記内袋はガスバリアー性プラスチックから構成している請求項１ないし３いずれか１項記載の多層袋。
【発明の詳細な説明】
【０００１】
【発明の属する技術分野】
本発明は、医療・食品関連のチリ等の進入やにおいの放出等を極度に嫌う内容物を収容する多層袋に関し、より詳しくは、紙製の外袋内にプラスチック製の内袋を有し、利用時に紙製の外袋を開封して、内容物収容のプラスチック製の内袋だけを、シールした状態のまま容易に取り出せるようにした多層袋に関する。
【０００２】
【従来の技術】
紙製の外袋内にプラスチック製の内袋を有した多層袋は、既に市場に多く出回っている。この多層袋は、紙製の外袋により強度や摩耗などの耐久性を確保し、プラスチック製の内袋により密封性や耐薬品、耐腐食性を確保して、運搬や保管に便利であり、多様な内容物にも対応出来る点で優れている。
【０００３】
そのため、この種の多層袋は、現在粉体、粉粒体並びに粒体の包装用として、多分野で使用されている。しかしながら、最近の医療関連や食品関連における相次ぐ事故や事件の発生により、医薬品はもちろん食品の生産現場における衛生管理が極めて高度になりつつあり、多層袋の内容物以外に多層袋自体に由来する病原菌は勿論、ゴミやチリ、特に紙製の外袋からの紙粉の進入にも衛生管理が行きわたるようになってきている。
【０００４】
その一方で内容物としてにおいの強いものを収容する多層袋は、特に輸送中そのにおいを輸送車両中に放出し、輸送車両内、他の積み荷や人に付着する事態がしばしば起こる。特に他の積み荷ににおいが付着した場合は深刻な状況になる可能性が高い。このような事態を踏まえ、衛生管理面では多層袋の内外を放射線や１００℃を越える高温で殺菌したり、多層袋の紙製の外袋からプラスチック製の内袋を取り出した後、内袋のみを倉庫などに搬入保管し、更に、生産現場には外側に付着した紙粉等を水洗したりアルコール等で拭いてから搬入し、内袋を開封して、内容物を取り出して生産に供されることが多くなった。また、においの面でもガスバリアー性の高いプラスチック製の内袋を用いて、においが外部に出ないようにした多層袋が用いられている。
【０００５】
【発明が解決しようとする課題】
しかしながら、衛生管理面で多層袋の内外を放射線や１００℃を越える高温で殺菌することはやむを得ないとしても、紙製の外袋からプラスチック製の内袋を取り出した後に、紙製の外袋に由来する紙粉、特に紙製の外袋の開封時に飛び散るプラスチック製の内袋に付着した紙粉を除去するために、いちいち、水洗したりアルコール等で拭くことは、極めて厄介である。
【０００６】
また、紙製の外袋からプラスチック製の内袋をシール状態のまま容易に分離して、取り出すべく事前の処置がなされていないので、その作業が煩わしく、且つその作業中に紙製の外袋から紙粉が飛ぶ。従って、紙粉の除去に多大の労力を費やすことになり、仮に紙粉除去が不十分で内容物に付着し、そのまま製造ラインに乗って注射液等に混入すると、最終的には人体の毛細血管を詰まらせるなどの重大事故に発展する虞がある。
【０００７】
また、従来の多層袋は、紙製の外袋からシール状態のまま容易に分離することができ、且つガスバリアー性の高いプラスチック製の内袋となっていないため、においの強い内容物に対しては、内袋のみを分離して搬入保管をすることが出来ない。すなわち、従来の多層袋ではにおい漏れのある内容物を収容したものは、事実上紙製の外袋を取り除けないまま、倉庫等に搬入保管せざるを得ない状態になっている。
【０００８】
そこで、本発明の目的は、開封して紙製の外袋からプラスチック製の内袋を取り出すことが容易であり、その際の紙粉発生がほとんど無くて紙粉除去が容易となり、衛生管理が極めて高度でも対応出来、しかも内袋をガスバリアー性の高いプラスチック製にして、におい漏れも防ぐことが出来る多層袋を提供することにある。
【０００９】
【課題を解決するための手段】
本発明は、上記目的を達成するために提案されたものであって、下記の構成からなることを特徴とするものである。
すなわち、本発明によれば、紙製の外袋内にプラスチック製の内袋を有した多層袋であって、該多層袋の一端を開封側、他端を口封側とし、前記開封側はカバーにて覆い密封すると共に前記内袋の開封側端部をシールしてなり、前記口封側はカバーにて覆い密封すると共に前記内袋の口封側端部をシールし、そのシール部に切断可能な脆弱部を形成して、更に脆弱部より先端の口封側端部を前記外袋に貼着してなり、前記開封側のカバーを開封した後、前記脆弱部を切断して前記内袋の口封側端部及び開封側端部をシールした状態のまま、前記外袋内から前記内袋を分離可能にしたことを特徴とする多層袋が提供される。
【００１０】
また、本発明によれば、前記開封側のカバーはカットテープ付のプラスチック製のオーバーテープである多層袋が提供される。
【００１１】
また、本発明によれば、前記口封側のカバーはプラスチック製のオーバーテープである多層袋が提供される。
【００１２】
また、本発明によれば、記内袋はガスバリアー性プラスチックから構成している多層袋が提供される。
【００１３】
【発明の実施の形態】
以下に、図面を参照して本発明の実施の形態を説明する。
図１は本発明の実施の形態を示す多層袋の斜視図、図２は本発明の実施の形態を示す多層袋の開封側を拡大した斜視図、図３は本発明の実施の形態を示す多層袋における内容物収容前の斜視図、図４、５は本発明の実施の形態を示す多層袋の口封側を拡大した斜視図である。図面において、多層袋１は、紙製の外袋２内にプラスチック製の内袋３を有したものであって、この多層袋１の一端を開封側４、他端を口封側５とし、この開封側４はカバー６にて覆い密封すると共に内袋３の開封側端部７をシールしてなり、口封側５はカバー８にて覆い密封すると共に内袋３の口封側端部９をシールし、そのシール部１０に切断可能な脆弱部１１を形成して、更に脆弱部１１より先端の口封側端部９を外袋２に貼着してなり、開封側カバー６を開封した後、脆弱部１１を切断して内袋３の口封側端部９及び開封側端部７をシールした状態のまま、外袋２内から内袋３を分離可能にしたものである。
【００１４】
前記紙製の外袋２は、プラスチック製の内袋３を保護するためのものであり、紙の種類について特に限定がないが、内袋３を保護するのに必要な耐摩耗性、強度、防湿性、柔軟性等の要求を満たし、更に内袋３の内容物が特に紙粉等を極端に嫌う場合には紙粉をなるべく発生しないことも条件となる。その形状も特に限定がないが、通常筒体であり、ガゼットの有無を問わない、但し、外袋２の端部を折り曲げてカバーにより覆い密封する場合は、ガゼットがない方がシール性がよい。図１、３に示す内袋３は、ガゼット１２を有している。
【００１５】
前記プラスチック製の内袋３は、内容物を支障無く収容するためのものであるから、この内容物の性状に対して問題がない材質であれば、特に限定がない。しかし、内容物のにおいが特に強い場合には、においの漏れないガスバリアー性能の高いプラスチック材質、例えば、ポリオレフィンを基材とした複合樹脂、ナイロン、ポリエチレンテレフタレート、エチレン−酢酸ビニル共重合体樹脂等が選択される。また、内袋３に内容物を収容したあとの易シール性のために、ヒートシールが出来る材質であることがが好ましい。内袋３の形状は、特に限定がないが、当然前記紙製の外袋２の形状に沿ったものとなる。なお、内袋３に収容される内容物は、特に限定はないが、既に述べた多層袋１の説明から医療関連や食品関連のものであり、これらの生産現場における衛生管理が極めて高度にしなければならないものに特に有効となる。
【００１６】
前記開封側４は、紙製の外袋２の開口とその中のプラスチック製の内袋３の開口とを合わせて重ね、内袋３の開封側端部７をシールしてそのシール部１３により内袋３を袋状にするが、そのシール方法としては、その容易性から外袋２上側から加熱して行うヒートシールが好ましい。そして、図２に示すように、外袋２及び内袋３の先端を折り曲げ、この折曲部を開封側のカバー６にて覆い貼り付け密封する。この開封側のカバー６はプラスチック製のカットテープ２０付のプラスチック製のオーバーテープ２１であるのがよい。その理由はカットテープ２０によりオーバーテープ２１を引き裂く時、ともにプラスチック製であると紙粉等が飛ばないことによる。この多層袋１は、図３で示すように、その開封側４の折曲部が開封側のカバー６であるカットテープ２０付のオーバーテープ２１で密封された状態で、前記多層袋１の口封側５における内袋３の入口１４から内容物の充填が成される。
【００１７】
この内容物が充填されたあと、口封側５は、上記した開封側４と同様に、紙製の外袋２の開口とその中にあるプラスチック製の内袋３の入口１４とを合わせて重ね、内袋３の口封側端部９を外袋２上側から加熱するヒートシールを行い、その直後の柔らかい状態のシール部１０に周縁がＶ字形の円盤を当て切断可能な脆弱部１１を形成して（図４参照）、更に脆弱部１１より先端の口封側端部８を外袋２の内面に貼着して、脆弱部１１を切断し外袋２から内袋３を分離出来るようにしている。そして、図５に示すように、外袋２及び内袋３の先端を折り曲げ、この折曲部を口封側のカバー８にて覆い貼り付け密封する。この口封側のカバー８は、開封側４と同形式であるプラスチック製のオーバーテープである。以上のようにして、内容物入りの多層袋１ができあがる。
【００１８】
次に、上記構成になる多層袋１の使用方法について説明する。
まず、予定した内容物の種類・性質及び容量に沿う多層袋１を選択する。多層袋１は、通常、図３の状態で密封梱包され、多層袋１の製造者から内容物生産のユーザーに納入されるから、そのユーザーは多層袋１の口封側５における内袋３の入口１４から内容物を投入し、内袋３内に所定量の内容物を充填する。充填し終わったら、紙製の外袋２の開口とその中のプラスチック製の内袋３の入口１４とを合わせて重ね、内袋３の口封側端部９をヒートシールし、その直後のシール部１０に切断可能な脆弱部１１を形成して、更に脆弱部１１より先端の口封側端部８を外袋２の内面に貼着する。そして、外袋２及び内袋３の先端を折り曲げ、この折曲部を口封側のカバー８にて覆い貼り付け密封して、多層袋１への内容物充填が終了する。
【００１９】
図６の内容物が充填された多層袋１は、内容物の生産者から内容物を使用するユーザーの指定倉庫等に納入される。この際の運搬作業や保管作業では、多層袋１の紙製の外袋２が有する耐摩耗性、強度、防湿性、柔軟性等の特性により、何ら支障無くこれらの作業が完遂される。また、内容物がにおいの強いものである場合は、ガスバリアー性の高いプラスチック製の内袋３を使用することで防ぐことができる。そして、この指定倉庫から内容物使用のユーザーの生産現場に搬入する場合は、予め紙製の外袋２からプラスチック製の内袋３を取り出し、プラスチック製の内袋３のみを搬入することができる。これによって、紙製の外袋２に由来する紙粉等のチリやゴミを生産現場から排除することができる。
【００２０】
従って、開封に際しては、内容物充填済みの多層袋１の開封側のカバー６、すなわち、プラスチック製のオーバーテープ２１を、プラスチック製のカットテープ２０により引き裂けばよい。その際、オーバーテープ２１及びカットテープ２０は、ともにプラスチック製であるため紙粉等が飛ぶことはない。その後外袋２の開口を明けて内袋３の開封側端部７を掴み内袋３を引くと、前記脆弱部１１に力がかかり切断し、紙製の外袋２からプラスチック製の内袋３を分離できて、図７に示すように、開封側のシール部１３及び口封側のシール部１０により密封したままのプラスチック製の内袋３を取り出すことができる。この開封からプラスチック製の内袋３の取り出しまで、紙製の外袋２から紙粉等のチリやゴミが飛ぶ機会は皆無であるため、このまま内容物充填済みのプラスチック製の内袋３を内容物を使用するユーザーの生産現場に搬入することが出来る。
【００２１】
以上、本発明の実施形態を説明したが、具体的な構成はこれに限定されず、本発明の要旨を逸脱しない範囲での変更や組み合わせは適宜なし得るものと理解すべきである。
【００２２】
【発明の効果】
以上詳述したように、本発明によれば、プラスチック製の内袋に内容物を充填した多層袋の開封側のカバーを開封し外袋を開け、内袋の開封側端部を掴み引けば脆弱部が切断されるから、内袋の口封側端部及び開封側端部をシールした状態のまま、外袋から内袋を分離して取りすことができる。従って、紙製の外袋からプラスチック製の内袋を取り出すことが極めて容易であり、その際の紙粉発生が無く、高度な衛生管理にも対応出来る効果がある。
また、多層袋の開封は、カットテープによりプラスチック製のオーバーテープを引き裂くことにより行うため、上記効果に加えて、紙粉等の飛散が防止できる効果がある。
さらに、本発明によれば、内袋をガスバリアー性プラスチックによって構成することにより内容物のにおいが外に漏れないという効果も得られる。
【図面の簡単な説明】
【図１】本発明の実施の形態を示す多層袋の斜視図である。
【図２】本発明の実施の形態を示す多層袋の開封側を拡大した斜視図である。
【図３】本発明の実施の形態を示す多層袋における内容物の収容前の斜視図である。
【図４】本発明の実施の形態を示す多層袋の口封側を拡大した斜視図である。
【図５】本発明の実施の形態を示す多層袋の口封側を拡大した斜視図である。
【図６】本発明の実施の形態を示す多層袋の使用状況の側面図である。
【図７】本発明の実施の形態を示す多層袋の使用状況の側面図である。
【符号の説明】
１　　　　　　　　　　　　多層袋
２　　　　　　　　　　　　紙製の外袋
３　　　　　　　　　　　　プラスチック製の内袋
４　　　　　　　　　　　　開封側
５　　　　　　　　　　　　口封側
６，８　　　　　　　　　　カバー
７　　　　　　　　　　　　開封側端部
９　　　　　　　　　　　　口封側端部
１０，１３　　　　　　　　シール部
１１　　　　　　　　　　　脆弱部
１２　　　　　　　　　　　ガゼット
１４　　　　　　　　　　　入口
２０　　　　　　　　　　　カットテープ
２１　　　　　　　　　　　オーバーテープ
【図１】
2004018081.tif 000003
【図２】
2004018081.tif 000004
【図３】
2004018081.tif 000005
【図４】
2004018081.tif 000006
【図５】
2004018081.tif 000007
【図６】
2004018081.tif 000008
【図７】
2004018081.tif 000009